(57)【特許請求の範囲】
【請求項１】
内部にモータ駆動のインペラ１５を回転自在に収納するインペラケーシング１１と、
一端開口部を前記インペラケーシング１１の中央開口１２を貫通して前記インペラ１５の中央吸引開口部１６に一体的に連通連結すると共に、他端開口部を下方に向けて伸延し、内部に攪拌物吸引路を形成する中空筒からなる攪拌物吸引案内筒２３と、
前記攪拌物吸引案内筒２３の前記他端開口部の外周部に取り付けられる攪拌羽根２５とを具備し、
前記攪拌羽根２５を、前記攪拌物吸引案内筒２３の前記他端開口部の外周面にフランジ３２を取り付け、該フランジ３２に、円周方向に間隔を開けて放射状に伸延する複数の攪拌羽根構成片３３を取り付けることによって構成したことを特徴とする水中攪拌ポンプ。
【請求項２】
前記攪拌物吸引案内筒２３は前記インペラ１５と一体成形されていることを特徴とする請求項１記載の水中攪拌ポンプ。
【請求項３】
前記攪拌物吸引案内筒２３は前記インペラ１５と別体に形成され、前記インペラ１５にボルト２７によって連結されることを特徴とする請求項１記載の水中攪拌ポンプ。
【請求項４】
前記攪拌物吸引案内筒２３は前記インペラ１５と別体に形成され、前記インペラ１５の前記中央吸引開口部１６に雌ねじ部２８を設け、前記攪拌物吸引案内筒２３の前記一端開口部に雄ねじ部２９を設け、前記雌ねじ部２８に前記雄ねじ部２９を螺合することによって前記攪拌物吸引案内筒２３は前記インペラ１５に連結されることを特徴とする請求項１記載の水中攪拌ポンプ。
【請求項５】
内部にモータ駆動のインペラ１５を回転自在に収納するインペラケーシング１１と、
一端開口部を前記インペラケーシング１１の中央開口１２を貫通して前記インペラ１５の中央吸引開口部１６に一体的に連通連結すると共に、他端開口部を下方に向けて伸延し、内部に攪拌物吸引路を形成する中空筒からなる攪拌物吸引案内筒２３と、
前記攪拌物吸引案内筒２３の前記他端開口部の外周部に取り付けられる攪拌羽根２５とを具備し、
前記攪拌物吸引案内筒２３を、大径の本体部２３ａと前記他端開口部を構成する段つき先端縮径部２３ｂとから形成し、前記段つき先端縮径部２３ｂの段部に、円周方向に間隔をあけて、放射状に伸延する複数の三角形状の攪拌羽根構成片３０を取り付け、前記攪拌羽根２５を形成するようにしたことを特徴とする水中攪拌ポンプ。
【請求項６】
内部にモータ駆動のインペラ１５を回転自在に収納するインペラケーシング１１と、
一端開口部を前記インペラケーシング１１の中央開口１２を貫通して前記インペラ１５の中央吸引開口部１６に一体的に連通連結すると共に、他端開口部を下方に向けて伸延し、内部に攪拌物吸引路２４を形成する中空筒からなる攪拌物吸引案内筒２３と、
前記攪拌物吸引案内筒２３の前記他端開口部に架設した帯状の攪拌羽根取付部材６１と、
前記攪拌羽根取付部材６１の中央部に固着された攪拌羽根６０とを具備し、
さらに、前記攪拌物吸引案内筒２３の前記他端開口部であって、前記攪拌羽根取付部材６１の両側をなす部分を前記インペラ１５に向けて切欠し、一対の攪拌物吸引開口６２を形成したことを特徴とする水中攪拌ポンプ。
【発明の詳細な説明】
【０００１】
【発明の属する技術分野】
本発明は、浚渫現場、土木現場、下水処理場、工場内の沈殿池やピット、マンホール内等における塊状物、紐状物を含む土砂等を効率よく攪拌しながら吸引し、所望の箇所に排出することができる水中攪拌ポンプに関する。
【０００２】
【従来の技術】
従来、上記した目的に供される水中攪拌ポンプとして、例えば、図１１に示す構成を有する水中攪拌ポンプ１００がある。
図示するように、この水中攪拌ポンプ１００において、中空円盤状のインペラケーシング１０１は、その下面中央部に中央吸引開口部１０２を設けると共に、その周縁部に排出管１０３に接続される排出開口部１０４を有する。このインペラケーシング１０１内には、円盤状のインペラ１０５が回転自在に配設されており、インペラ１０５はその下面中央部に中央吸引開口部１０６を有すると共に、その内部に円周方向に間隔をあけて複数の放射状流路１０７を形成している。また、インペラ１０５は、インペラケーシング１０１の上面に載置した水密モータ１０８の出力軸１０９に嵌合連結されている。
【０００３】
また、インペラケーシング１０１の下部には底板１１０を具備する筒状ストレーナ１１１が連設されており、筒状ストレーナ１１１の下面には円環状支持機枠１１２が取り付けられている。
さらに、インペラ１０５を固着した水密モータ１０８の出力軸１０９は、インペラ１０５の中央吸引開口部１０６、インペラケーシング１０１の中央吸引開口部１０２及び筒状ストレーナ１１１を貫通して下方に伸延して攪拌羽根取付軸１１３を形成しており、この攪拌羽根取付軸１１３の先端には、本体の外周面に放射状に複数の羽根部材を突設した攪拌羽根（カッターファン）１１４が固着されている。
【０００４】
上記した構成によって、水密モータ１０８を駆動すると、インペラ１０５と攪拌羽根１１４が一体的に回転し、インペラケーシング１０１の内部を負圧にすると共に、水中攪拌ポンプ１００の下方に堆積する土砂等を攪拌羽根１１４が攪拌する。従って、攪拌された土砂等は筒状ストレーナ１１１を介してインペラケーシング１０１内に吸引され、その後、排出開口部１０４及び排出管１０３を通して所望の箇所に排出されることになる。
【０００５】
【発明が解決しようとする課題】
しかし、上記した水中攪拌ポンプ１００は、未だ、以下の解決すべき課題を有していた。即ち、図１１に示すように、先端に攪拌羽根１１４を取り付けた攪拌羽根取付軸１１３がインペラ１０５の中央吸引開口部１０６、インペラケーシング１０１の中央吸引開口部１０２を貫通しているため、図１２に示すように、土砂流入有効面積Ａ２は、中央吸引開口部１０６又は中央吸引開口部１０２の内周面と攪拌羽根取付軸１１３の外周面との間の狭幅の環状面積から形成されることになる。
【０００６】
従って、土砂等中に塊状物や紐状物が混入していた場合、紐状物やビニル布片等の可撓性布片が攪拌羽根１１４や、攪拌羽根取付軸１１３や、筒状ストレーナ１１１等に絡みつき、また、塊状物や紐状物が土砂流入有効面積Ａ２を閉塞し、その結果、水中攪拌ポンプの運転が困難ないし不能となり、土砂吸引作業が困難又は不可能となるおそれがある。
本発明はこのような課題を解決するためなされたものであり、塊状物や紐状物を含む土砂等であっても、確実かつ効率よく吸引排出することができる水中攪拌ポンプを提供することを目的とする。
【０００７】
【課題を解決するための手段】
上記目的を達成するための本発明に係る水中攪拌ポンプは、内部にモータ駆動のインペラを回転自在に収納するインペラケーシングと、一端開口部を前記インペラケーシングの中央開口を貫通してインペラの中央吸引開口部に一体的に連通連結すると共に、他端開口部を下方に向けて伸延し、内部に攪拌物吸引路を形成する中空筒からなる攪拌物吸引案内筒と、攪拌物案内筒の他端開口部の外周部に取り付けられる攪拌羽根を具備し、前記攪拌羽根を、前記攪拌物吸引案内筒の前記他端開口部の外周面にフランジを取り付け、該フランジに、円周方向に間隔を開けて放射状に伸延する複数の攪拌羽根構成片を取り付けることによって構成したことを特徴とする。
【０００８】
上記した構成において、中空筒からなる攪拌物吸引案内筒の基端を直接インペラの中央吸引開口部に連通連結し、攪拌物吸引案内筒の先端外周部に攪拌羽根を取り付けるようにしている。従って、攪拌物吸引案内筒の内径はインペラの中央吸引開口部の内径と略等しくでき、かつ、従来の水中攪拌ポンプにおける攪拌軸取付軸を不要とすることができるので、攪拌物吸引案内筒内に形成される攪拌物吸引路は十分な広さの攪拌物流入面積を確保することができ、攪拌羽根によって塊状物や紐状物が混入した土砂等を十分に攪拌することができると共に、攪拌物吸引案内筒を通して円滑に塊状物や紐状物が混入した土砂等をインペラケーシング内に吸引することができる。
【０００９】
また、攪拌物吸引案内筒の外径はインペラの中央吸引開口部の内径と等しくできるので、先端に攪拌羽根を取り付けた従来の水中攪拌ポンプの攪拌羽根取付軸と比較して、その外径を著しく大きくすることができ、紐状物が攪拌物吸引案内筒に巻きつくのを確実に防止することができる。また、従来の水中攪拌ポンプの攪拌羽根取付軸と比較してその外径を著しく大きくすることができるので、断面係数を著しく大きくすることができ、攪拌物吸引案内筒の機械的強度を高めることができ、攪拌羽根の支持強度や攪拌物吸引案内筒の破損等を確実に防止することができる。
【００１０】
さらに、攪拌物の吸引口を形成する攪拌物吸引案内筒の他端開口部がインペラの中央吸引開口部から下方に突出した位置に形成されるので、従来の水中攪拌ポンプの攪拌物吸引口と比較して水底により近く臨ませることができるので、沈殿物（攪拌物）の攪拌と吸引を同時に行うことができ、攪拌物吸引案内筒の内部に十分な広さの攪拌物流入面積を確保することができることと相俟って、沈殿物（攪拌物）の吸引効率をより高めることができる。
【００１１】
また、本発明では、攪拌物吸引案内筒はインペラと一体成形することもできるが、攪拌物吸引案内筒をインペラと別体に形成し、インペラにボルトによって連結することもでき、また、攪拌物吸引案内筒をインペラと別体に形成し、インペラの中央吸引開口部に雌ねじ部を設け、攪拌物吸引案内筒の一端開口部に雄ねじ部を設け、雌ねじ部に雄ねじ部を螺合することによって攪拌物吸引案内筒はインペラに連結する構成とすることもできる。このように攪拌物吸引案内筒をインペラと別体に構成した場合には、インペラと攪拌物吸引案内筒の構成を簡単にでき、それぞれ安価に製作することができる。
【００１２】
また、本発明に係る水中攪拌ポンプは、内部にモータ駆動のインペラを回転自在に収納するインペラケーシングと、一端開口部を前記インペラケーシングの中央開口を貫通して前記インペラの中央吸引開口部に一体的に連通連結すると共に、他端開口部を下方に向けて伸延し、内部に攪拌物吸引路を形成する中空筒からなる攪拌物吸引案内筒と、前記攪拌物吸引案内筒の前記他端開口部の外周部に取り付けられる攪拌羽根とを具備し、前記攪拌物吸引案内筒を、大径の本体部と前記他端開口部を構成する段つき先端縮径部とから形成し、前記段つき先端縮径部の段部に、円周方向に間隔をあけて、放射状に伸延する複数の三角形状の攪拌羽根構成片を取り付け、前記攪拌羽根を形成するようにしてもよい。この場合、攪拌羽根構成片が紐状物の案内物としての役目を果たすことになり、紐状物が攪拌羽根に巻きつくのをさらに確実に防止することができる。
【００１３】
さらに、本発明に係る水中攪拌ポンプは、内部にモータ駆動のインペラを回転自在に収納するインペラケーシングと、一端開口部を前記インペラケーシングの中央開口を貫通して前記インペラの中央吸引開口部に一体的に連通連結すると共に、他端開口部を下方に向けて伸延し、内部に攪拌物吸引路を形成する中空筒からなる攪拌物吸引案内筒と、攪拌物吸引案内筒の前記他端開口部に架設した帯状の攪拌羽根取付部材と、攪拌羽根取付部材の中央部に固着された攪拌羽根とを具備し、さらに、攪拌物吸引案内筒の他端開口部であって、攪拌羽根取付部材の両側をなす部分をインペラに向けて切欠し、一対の攪拌物吸引開口を形成した構成とすることもできる。この場合も、攪拌羽根による土砂等の攪拌とインペラによる土砂等の吸引とを同時に行うことができ、吸引排出効率を高めることができると共に、攪拌羽根取付部材の両側をなす部分に一対の攪拌物吸引開口を形成したので、同攪拌物吸引開口を通して、紐状物や塊状物を含む土砂等を円滑にインペラケーシングに吸引し、その後、排出することができる。
【００１４】
【発明の実施の形態】
以下、添付図に示す実施の形態を参照して、本発明を具体的に説明する。
（第１実施例）
図１〜図３に本発明の第１実施例に係る水中攪拌ポンプ１０を示す。なお、図１は本発明の第１実施例に係る水中攪拌ポンプ１０の一部断面正面図、図２は図１のＩ−Ｉ線による断面図、図３は水中攪拌ポンプ１０の要部をなすインペラと、攪拌物吸引案内筒と、攪拌羽根を示す斜視図である。
【００１５】
まず、水中攪拌ポンプ１０の全体構成について説明すると、中空円盤状のインペラケーシング１１は、その下面中央部に円形の中央開口１２を設けると共に、その周縁部に排出管１３に接続される排出開口部１４を有する。このインペラケーシング１１内には、円盤状のインペラ１５が回転自在に配設されており、インペラ１５はその下面中央部に円形の中央吸引開口部１６を有すると共に、その内部に円周方向に間隔をあけて複数の放射状流路１７を形成している。また、インペラ１５はインペラケーシング１１の上面に載置した駆動源としての水密モータ１８の出力軸１９に嵌合連結されている。なお、２０はモータケーシング、２１は水中攪拌ポンプ１０を土砂等からなる底面２２上に載置支持するための載置枠２１ａを有する支持架台である。
【００１６】
また、インペラケーシング１１の下方には同軸的に円形の中空筒からなる攪拌物吸引案内筒２３が配設されている。攪拌物吸引案内筒２３の一端開口部はインペラケーシング１１の中央開口１２を貫通してインペラ１５の中央吸引開口部１６に一体的に連通連結されており、他端開口部は下方に向けて伸延され、その内部には攪拌物吸引路２４が形成されている。
さらに、攪拌物吸引案内筒２３の他端開口部の外周部には、土砂等を攪拌するための攪拌羽根２５が取り付けられている。
【００１７】
上記した構成を有する攪拌物吸引案内筒２３において、攪拌物吸引案内筒２３の直径（内径）はインペラケーシング１１の中央吸引開口部１６の直径（内径）と略等しくすることができるので、攪拌物吸引案内筒２３は十分な直径（内径）、即ち、十分な広さを有する攪拌物吸引路２４を内部に形成することができる。
【００１８】
また、本実施例では、図１及び図３に示すように、攪拌物吸引案内筒２３はインペラ１５と一体成形されているが、図４に示すように、攪拌物吸引案内筒２３をインペラ１５と別体に形成し、攪拌物吸引案内筒２３の一端開口部の外周面にフランジ２６を一体的に取り付け、このフランジ２６をボルト２７によってインペラ１５に連結することによって、インペラ１５に取り付けることもできる。また、図５に示すように、攪拌物吸引案内筒２３をインペラ１５と別体に形成し、インペラ１５の中央吸引開口部１６に雌ねじ部２８を設け、攪拌物吸引案内筒２３の一端開口部に雄ねじ部２９を設け、雌ねじ部２８に雄ねじ部２９を螺合することによって攪拌物吸引案内筒２３をインペラ１５に連結する構成とすることもできる。
【００１９】
また、本実施例では、攪拌羽根２５は、図１〜図３に示すように、攪拌物吸引案内筒２３を、大径の本体部２３ａと他端開口部を構成する段付き先端縮径部２３ｂとから形成し、段付き先端縮径部２３ｂの段部に、円周方向に間隔をあけて、放射状に伸延する複数の三角形状の攪拌羽根構成片３０を取り付けることによって形成するようにしている。また、攪拌羽根構成片３０はそれぞれ円周方向に一定の傾斜角度を持って取り付けられている。なお、段付き先端縮径部２３ｂの内径は、未だ十分な大きさの直径を有しており、紐状物や塊状物を含む攪拌物を円滑に吸引することができるものである。
【００２０】
攪拌羽根２５は、図１〜図５に示した形態に限定されるものでなく、底面２２を形成する土砂等の性質に鑑み、各種形態のものを採用することができる、例えば、攪拌羽根２５は図６及び図７に示す形態とすることができる。図６及び図７に示す攪拌羽根２５は、直筒からなる攪拌物吸引案内筒２３の他端開口部の外周面にフランジ３２を取り付け、このフランジ３２に、円周方向に間隔を空けて放射状に伸延する複数の攪拌羽根構成片３３を、取り付けることによって構成したものである。なお、複数の攪拌羽根構成片３３は円周方向に傾斜している。
【００２１】
また、攪拌羽根２５は溶接等によって攪拌物吸引案内筒２３の他端開口部の外周部に取り付けることもできるが、攪拌物吸引案内筒２５の他端開口部を異形形状（三角形状、四角形状、多角形形状、星型形状等）にすることによっても、攪拌羽根２５を攪拌物吸引案内筒２３と一体的に形成することもできる。
【００２２】
次に上記した構成を有する水中攪拌ポンプ１０による土砂等吸引排出作業について、特に図１〜図３を参照して説明する。
水密モータ１８を駆動すると、インペラ１５と、攪拌物吸引案内筒２３を介してインペラ１５と一体的に連結された攪拌羽根２５が一体的に回転し、インペラケーシング１１の内部を負圧にすると共に、水中攪拌ポンプ１０の下方の底面２２に堆積する土砂等を攪拌羽根２５が攪拌すると同時にインペラケーシング１１内に攪拌物吸引案内筒２３内の攪拌物吸引路２４を通して吸引する。その後、排出開口部１４及び排出管１３を通して土砂等を所望の箇所に排出する。
【００２３】
このような土砂吸引排出作業において、攪拌物吸引案内筒２３の内径はインペラ１５の中央吸引開口部１６の内径と略等しくでき、かつ、従来の水中攪拌ポンプにおける攪拌軸取付軸を不要とすることができるので、中空筒の内部に形成した攪拌物吸引路２４は十分な広さの攪拌物流入面積を確保することができる。
従って、攪拌羽根２５によって塊状物や紐状物が混入した土砂等を十分に攪拌することができると共に、攪拌物吸引案内筒２３を通して円滑に塊状物や紐状物が混入した土砂等をインペラケーシング１１内に吸引することができる。
【００２４】
また、攪拌物吸引案内筒２３の外径はインペラ１５の中央吸引開口部１６の内径と等しくできるので、先端に攪拌羽根を取り付けた従来の水中攪拌ポンプの攪拌羽根取付軸と比較して、その外径を著しく大きくすることができ、紐状物が攪拌物吸引案内筒２３に巻きつくのを確実に防止することができる。
【００２５】
さらに、攪拌物の吸引口を形成する攪拌物吸引案内筒２３の他端開口部がインペラ１５の中央吸引開口部１６から下方に突出した位置に形成されるので、従来の水中攪拌ポンプの攪拌物吸引口と比較して水底により近く臨ませることができるので、沈殿物（攪拌物）の攪拌と吸引を同時に行うことができ、攪拌物吸引路２４が十分な広さの攪拌物流入面積を確保することができることと相俟って、沈殿物（攪拌物）の吸引効率をより高めることができる。
【００２６】
また、図１〜図５に示すように、本実施例では、放射状に伸延する複数の三角形状の攪拌羽根構成片３０から攪拌羽根２５を形成しているので、攪拌羽根構成片３０が紐状物の案内物としての役目を果たすことになり、紐状物が攪拌羽根２５に巻きつくのをさらに確実に防止することができる。
【００２７】
（第２実施例）
本実施例にかかる水中攪拌ポンプは、第１実施例に係る水中攪拌ポンプ１０の変形例に係るものであり、具体的には、図８〜図１０に示すように、攪拌羽根６０を攪拌物吸引案内筒２３の他端開口部の中央部に配置したことを特徴とする。即ち、図示するように、攪拌物吸引案内筒２３の他端開口部には帯状の攪拌羽根取付部材６１が架設されており、攪拌羽根取付部材６１の中央部には攪拌羽根６０が固着されている。また、攪拌物吸引案内筒２３の他端開口部であって、攪拌羽根取付部材６１の両側をなす部分はインペラ１５に向けて切欠されており、一対の攪拌物吸引開口６２が形成されている。
【００２８】
本実施例においても、攪拌羽根６０による土砂等の攪拌とインペラ１５による土砂等の吸引とを同時に行うことができ、吸引排出効率を高めることができると共に、攪拌羽根取付部材６１の両側をなす部分に一対の攪拌物吸引開口６２を形成したので、同攪拌物吸引開口６２を通して、紐状物や塊状物を含む土砂等を円滑にインペラケーシング１１に吸引し、その後、所望の箇所へ排出することができる。
また、攪拌羽根６０を攪拌羽根取付部材６１にボルト等を用いて着脱自在に取り付ける構成とした場合は、攪拌羽根６０が磨耗した場合には容易に交換することができる。さらに、攪拌羽根６０と攪拌物吸引案内筒２３を一体的に交換する必要はなく、攪拌羽根６０のみを交換すればよいので、メンテナンス費用を低減することができる。
【００２９】
【発明の効果】
上記した構成により、本発明は以下の効果を奏する。
請求項１記載の発明においては、中空筒からなる攪拌物吸引案内筒の基端を直接インペラの中央吸引開口部に連通連結し、攪拌物吸引案内筒の先端外周部に攪拌羽根を取り付けるようにしている。従って、攪拌物吸引案内筒の内径はインペラの中央吸引開口部の内径と略等しくでき、かつ、従来の水中攪拌ポンプにおける攪拌軸取付軸を不要とすることができるので、攪拌物吸引案内筒内に形成される攪拌物吸引路は十分な広さの攪拌物流入面積を確保することができ、攪拌羽根によって塊状物や紐状物が混入した土砂等を十分に攪拌することができると共に、攪拌物吸引案内筒を通して円滑に塊状物や紐状物が混入した土砂等をインペラケーシング内に吸引することができる。
【００３０】
また、攪拌物吸引案内筒の外径はインペラの中央吸引開口部の内径と等しくできるので、先端に攪拌羽根を取り付けた従来の水中攪拌ポンプの攪拌羽根取付軸と比較して、その外径を著しく大きくすることができ、紐状物が攪拌物吸引案内筒に巻きつくのを確実に防止することができる。また、従来の水中攪拌ポンプの攪拌羽根取付軸と比較してその外径を著しく大きくすることができるので、断面係数を著しく大きくすることができ、攪拌物吸引案内筒の機械的強度を高めることができ、攪拌羽根の支持強度や攪拌物吸引案内筒の破損等を確実に防止することができる。
【００３１】
さらに、攪拌物の吸引口を形成する攪拌物吸引案内筒の他端開口部がインペラの中央吸引開口部から下方に突出した位置に形成されるので、従来の水中攪拌ポンプの攪拌物吸引口と比較して水底により近く臨ませることができるので、沈殿物（攪拌物）の攪拌と吸引を同時に行うことができ、攪拌物吸引案内筒の内部に十分な広さの攪拌物流入面積を確保することができることと相俟って、沈殿物（攪拌物）の吸引効率をより高めることができる。
【００３２】
請求項２記載の発明においては、攪拌物吸引案内筒はインペラと一体成形することとしたので、水中攪拌ポンプの組立て工数を低減することができる。
請求項３及び請求項４記載の発明においては、攪拌物吸引案内筒をインペラと別体に形成し、インペラにボルトによって連結することもでき、また、攪拌物吸引案内筒をインペラと別体に形成し、インペラの中央吸引開口部に雌ねじ部を設け、攪拌物吸引案内筒の一端開口部に雄ねじ部を設け、雌ねじ部に雄ねじ部を螺合することによって攪拌物吸引案内筒はインペラに連結する構成としたので、インペラと攪拌物吸引案内筒の構成を簡単にでき、それぞれ、安価に製作することができる。
【００３３】
請求項５記載の発明においては、攪拌物吸引案内筒の段つき先端縮径部の段部に、円周方向に間隔をあけて複数の三角形状の攪拌羽根構成片を取り付けて攪拌羽根を形成したので、攪拌羽根構成片が紐状物の案内物としての役目を果たすことになり、紐状物が攪拌羽根に巻きつくのをさらに確実に防止することができる。
【００３４】
請求項６記載の発明においては、攪拌物吸引案内筒の他端開口部に帯状の攪拌羽根取付部材を架設し、攪拌羽根取付部材の中央部に攪拌羽根を固着した、さらに、攪拌物吸引案内筒の他端開口部であって、攪拌羽根取付部材の両側をなす部分をインペラに向けて切欠し、一対の攪拌物吸引開口を形成したので、攪拌羽根による土砂等の攪拌とインペラによる土砂等の吸引とを同時に行なうことができ、吸引排出効率を高めることができると共に、攪拌物吸引開口を通して、紐状物や塊状物を含む土砂等を円滑にインペラケーシング１１に吸引し、その後、所望の箇所へ排出することができる。また、攪拌羽根を攪拌羽根取付部材にボルト等を用いて着脱自在に取り付ける構成とした場合は、攪拌羽根が磨耗した場合には容易に交換することができる。さらに、攪拌羽根と攪拌物吸引案内筒を一体的に交換する必要はなく、攪拌羽根のみを交換すればよいので、メンテナンス費用を低減することができる。
【００３５】
以上、本発明を幾つかの実施例を参照して具体的に説明してきたが、本発明は上記した実施例に何ら限定されるものではなく、特許請求の範囲に規定される発明の範囲を逸脱しない範囲で他の実施例や変形例を含むものである。例えば、水中攪拌ポンプの駆動源は電動モータに限られず、油圧モータ等を含むものである。また、本実施例では水中攪拌ポンプの全体が水中に浸漬した状態で配置されているが、その一部、例えば、駆動源を水面上に設置する場合も本発明に含まれるものである。この場合、駆動源として水密モータを用いなくてもよい。さらに、水中攪拌ポンプは、実施例のように垂直状態のみならず、使用条件によっては、傾斜状態や水平状態でも使用可能である。
【図面の簡単な説明】
【図１】本発明の第１実施例に係る水中攪拌ポンプの一部断面正面図である。
【図２】図１のＩ−Ｉ線による矢視底面図である。
【図３】インペラと攪拌物吸引案内筒と攪拌羽根の下方から見た斜視図である。
【図４】インペラと攪拌物吸引案内筒の連結状態説明図である。
【図５】インペラと攪拌物吸引案内筒の連結状態説明図である。
【図６】攪拌羽根の他の変形例の正面図である。
【図７】図６のIII−III線による矢視底面図である。
【図８】本発明の第２実施例に係る攪拌羽根の正面図である。
【図９】図８のＶ−Ｖ線による矢視底面図である。
【図１０】図８のVI−VI線による矢視側面図である。
【図１１】従来の水中攪拌ポンプの断面正面図である。
【図１２】従来の水中攪拌ポンプにおける土砂流入有効面積の説明図である。
【符号の説明】
１０  水中攪拌ポンプ
１１  インペラケーシング
１２  中央開口
１３  排出管
１４  排出開口部
１５  インペラ
１６  中央吸引開口部
１７  放射状流路
１８  水密モータ
１９  出力軸
２０  モータケーシング
２１  支持架台
２１ａ  載置枠
２２  底面
２３  攪拌物吸引案内筒
２３ａ  本体部
２３ｂ  先端縮径部
２４  攪拌物吸引路
２５  攪拌羽根
２６  フランジ
２７  ボルト
２８  雌ねじ部
２９  雄ねじ部
３０  攪拌羽根構成片
３２  フランジ
３３  攪拌羽根構成片
６０  攪拌羽根
６１  攪拌羽根取付部材
６２  攪拌物吸引開口
【図１】
0003672505.tif 000002
【図２】
0003672505.tif 000003
【図３】
0003672505.tif 000004
【図４】
0003672505.tif 000005
【図５】
0003672505.tif 000006
【図６】
0003672505.tif 000007
【図７】
0003672505.tif 000008
【図８】
0003672505.tif 000009
【図９】
0003672505.tif 000010
【図１０】
0003672505.tif 000011
【図１１】
0003672505.tif 000012
【図１２】
0003672505.tif 000013